(57)【特許請求の範囲】
【請求項１】
支持体の表面に少なくともアルカリ可溶性樹脂（Ａ）と画像露光光源の光を吸収して熱に変換する光熱変換物質（Ｂ）とを含有するポジ型感光性組成物を塗布して成る感光性平版印刷版の刷版方法であって、回転ドラムの表面上に押え治具によって感光性平版印刷版の対向する両端面を固定して行う外面走査方式によるレーザー露光工程と現像工程とを包含し、更に、押え治具によって固定された上記の両端面の未露光部を、未露光部を選択的に加熱した後に現像工程の現像液によって溶解する手段又は未露光部を加圧処理した後に現像工程の現像液によって溶解する手段によって除去する端面処理工程を包含することを特徴とする感光性平版印刷版の刷版方法。
【発明の詳細な説明】
【０００１】
【発明の属する技術分野】
本発明は、画像形成方法に関するものであり、詳しくは、感光層に画像露光光源の光を吸収して熱に変換する光熱変換物質を含有するポジ型感光性平版印刷版を使用した画像形成方法に関する。
【０００２】
【従来の技術】
近年、支持体の表面に少なくともアルカリ可溶性樹脂（Ａ）と画像露光光源の光を吸収して熱に変換する光熱変換物質（Ｂ）とを含有するポジ型感光性組成物を塗布して成る感光性平版印刷版が提案されている（例えば、特開平７−２８５２７５号公報、同９−４３８４７号公報、同１０−２６８５１２号公報）。以下、斯かるポジ型感光性平版印刷版をサーマルポジ版と略記する。
【０００３】
サーマルポジ版は、感光層の成分構成が極めて簡単であり、レーザーによる直接製版が可能で且つレーザー露光後に後加熱処理を必要とせず、しかも、紫外線を含む通常の白色灯下での作業が可能であると言う優れた特徴を有する。そして、斯かるサーマルポジ版のレーザー露光工程においては、回転ドラムの表面上に押え治具（例えばクランプ）によって感光性平版印刷版の両端面を固定して行う外面走査方式が好適に採用される。
【０００４】
【発明が解決しようとする課題】
ところで、上記の様な外面走査方式によるレーザー露光工程を包含する刷版方法の場合、押え治具によって固定されたサーマルポジ版の両端面の未露光部は現像工程で溶解されずに画線部として残るため、次の様な問題がある。すなわち、例えば、縦型のオフセット輪転印刷機を使用する場合は、上記の未露光部となった両端面とは異なる方向（上記の画線部と直交する方向）の両端面が印刷機の押え治具によって固定されるため、上記の未露光部がベタ印刷されて印刷物に不要な画像が形成される。また、縦型のオフセット輪転印刷機を使用しない場合であっても、印刷機の押え治具の幅が小さくて上記の画線部がはみ出る様な場合は、上記と同様、印刷物に不要な画像が形成される。
【０００５】
本発明は、上記実情に鑑みなされたものであり、その目的は、感光性平版印刷版の両端面の未露光部により不要な画像が印刷物に形成されない様に改良された刷版方法を提供することにある。
【０００６】
【課題を解決するための手段】
すなわち、本発明の要旨は、支持体の表面に少なくともアルカリ可溶性樹脂（Ａ）と画像露光光源の光を吸収して熱に変換する光熱変換物質（Ｂ）とを含有するポジ型感光性組成物を塗布して成る感光性平版印刷版の刷版方法であって、回転ドラムの表面上に押え治具によって感光性平版印刷版の対向する両端面を固定して行う外面走査方式によるレーザー露光工程と現像工程とを包含し、更に、押え治具によって固定された上記の両端面の未露光部を除去する端面処理工程を包含することを特徴とする感光性平版印刷版の刷版方法に存する。
【０００７】
【発明の実施の形態】
以下、本発明を詳細に説明する。先ず、本発明の刷版方法で使用されるサーマルポジ版について説明する。サーマルポジ版は、支持体の表面に少なくともアルカリ可溶性樹脂（Ａ）と画像露光光源の光を吸収して熱に変換する光熱変換物質（Ｂ）とを含有するポジ型感光性組成物を塗布して構成される。
【０００８】
上記の支持体としては、アルミニウム、亜鉛、銅、鋼などの金属板、アルミニウム、亜鉛、銅、鉄、クロム、ニッケル等をメッキ又は蒸着した金属板、紙、樹脂を塗布した紙、アルミニウム等の金属箔を貼着した紙、プラスチックフィルム、親水化処理したプラスチックフィルム、ガラス板などが挙げられる。これらの中ではアルミニウム板が好ましく、特に、塩酸または硝酸溶液中での電解エッチング又はブラシ研磨による砂目立て処理、硫酸溶液中での陽極酸化処理、必要に応じて行われる封孔処理などの表面処理が順次に施されたアルミニウム板が好ましい。支持体の表面の粗さは、ＪＩＳ  Ｂ０６０１に規定される平均粗さ（Ｒａ）として、通常０．３〜１．０μｍ、好ましくは０．４〜０．８μｍ程度とするのがよい。
【０００９】
上記のポジ型感光性組成物の構成成分であるアルカリ可溶性樹脂（Ａ）としては、感光性平版印刷版の感光層のアルカリ可溶性樹脂として公知の種々の樹脂が使用でき、その種類は特に制限されない。例えば、ノボラック樹脂、レゾール樹脂、ポリビニルフェノール樹脂、アクリル酸誘導体の共重合体などが挙げられる。これらの中では、ノボラック樹脂またはポリビニルフェノール樹脂が好ましく、特にノボラック樹脂が好ましい。アルカリ可溶性樹脂（Ａ）の分子量、すなわち、ゲルパーミュエーションクロマトグラフィー測定によるポリスチレン換算重量平均分子量（Ｍｗ）は、通常１，０００〜１５，０００、好ましくは１，５００〜１０，０００の範囲である。
【００１０】
上記のポジ型感光性組成物の他の構成成分である光熱変換物質（Ｂ）としては、後述の画像露光光源の光を吸収して熱に変換し得る限り、如何なる種類の化合物をも使用できる。斯かる化合物としては、波長域６５０〜１３００ｎｍの近赤外線領域の一部または全部に吸収帯を有する有機またはは無機の染顔料、有機色素、金属、金属酸化物、金属炭化物、金属硼化物などが挙げられる。これらの中では、光吸収色素が特に有効である。光吸収色素は、上記波長域の光を効率よく吸収するが、紫外線領域の光は殆ど吸収しないか、吸収しても実質的に感応せず、従って、白色灯に含まれる様な弱い紫外線によってはポジ型感光性組成物を変成させる作用のない化合物である。
【００１１】
上記の光吸収色素としては、例えば、窒素原子、酸素原子または硫黄原子を含む複素環などがポリメチン：（−ＣＨ＝）ｎで結合された、広義の所謂シアニン系色素が代表例として挙げられる。すなわち、キノリン系（所謂、狭義のシアニン系）、インドール系（所謂、インドシアニン系）、ベンゾチアゾール系（所謂、チオシアニン系）、アミノベンゼン系（所謂、ポリメチン系）、ピリリウム系、チアピリリウム系、スクアリリウム系、クロコニウム系、アズレニウム系などの色素が挙げられる。これらの中では、キノリン系、インドール系、ベンゾチアゾール系、アミノベンゼン系、ピリリウム系またはチアピリリウム系が好ましい。その他の例としては、アミニウム系、イモニウム系、フタロシアニン系、アントラキノン系の各色素が挙げられる。
【００１２】
本発明で使用するポジ型感光性組成物は、アルカリ可溶性樹脂（Ａ）と光熱変換物質（Ｂ）とを基本組成とする。この２成分の合計量に対し、（Ａ）成分の割合は７０〜９９．９重量％、（Ｂ）成分は０．１〜３０重量％とするのが好ましい。
【００１３】
上記のポジ型感光性組成物には、露光部と非露光部のアルカリ現像液に対する溶解性の差を増大させるため、上記の２成分の溶解性を低下させる機能を有する溶解抑止剤が含有されていてもよい。
【００１４】
上記の溶解抑止剤としては、例えば、本願出願人による特開平１０−２６８５１２号公報に詳細に記載されている、スルホン酸エステル、燐酸エステル、芳香族カルボン酸エステル、芳香族ジスルホン、カルボン酸無水物、芳香族ケトン、芳香族アルデヒド、芳香族アミン、芳香族エーテル、同じく特願平９−２９１８８０号明細書に詳細に記載されている、ラクトン骨格、Ｎ，Ｎ−ジアリールアミド骨格、ジアリールメチルイミノ骨格を有し着色剤を兼ねた酸発色性色素、同じく特願平９−３３１５１２号明細書に詳細に記載されている、非イオン性界面活性剤を挙げることが出来る。ポジ型感光性組成物中の溶解抑止剤の割合の上限値は、通常５０重量％、好ましくは３０重量％、更に好ましくは２０重量％である。
【００１５】
上記のポジ型感光性組成物には、上述の成分以外に、例えば、着色剤、塗布性改良剤、現像性改良剤、密着性改良剤、感度改良剤、感脂化剤などの通常使用される各種の添加剤が含有されていてもよい。これらの添加剤のポジ型感光性組成物中の含有割合の上限値は、通常１０重量％、好ましくは５重量％である。
【００１６】
上記のポジ型感光性組成物は、通常、上述の各成分を適当な溶媒に溶解した溶液として使用される。溶媒の種類は、上述の各成分に対して十分な溶解度を持ち、良好な塗膜性を与える限り特に制限されない。斯かる溶媒としては、例えば、メチルセロソルブ、エチルセロソルブ、メチルセロソルブアセテート、エチルセロソルブアセテート等のセロソルブ系溶媒、プロピレングリコールモノメチルエーテル、プロピレングリコールモノエチルエーテル、プロピレングリコールモノブチルエーテル、プロピレングリコールモノメチルエーテルアセテート、プロピレングリコールモノエチルエーテルアセテート、プロピレングリコールモノブチルエーテルアセテート、ジプロピレングリコールジメチルエーテル等のプロピレングリコール系溶媒、酢酸ブチル、酢酸アミル、酪酸エチル、酪酸ブチル、ジエチルオキサレート、ピルビン酸エチル、エチル−２−ヒドロキシブチレート、エチルアセトアセテート、乳酸メチル、乳酸エチル、３−メトキシプロピオン酸メチル等のエステル系溶媒、ヘプタノール、ヘキサノール、ジアセトンアルコール、フルフリルアルコール等のアルコール系溶媒、シクロヘキサノン、メチルアミルケトン等のケトン系溶媒、ジメチルホルムアミド、ジメチルアセトアミド、Ｎ−メチルピロリドン等の高極性溶媒の他に、酢酸、これらの混合溶媒、これらに芳香族炭化水素を添加した混合溶媒などが挙げられる。溶媒の使用割合は、ポジ型感光性組成物の総量に対し、通常１〜２０（重量比）倍の範囲である。
【００１７】
ポジ型感光性組成物の塗布は、従来公知の方法、例えば、回転塗布、ワイヤーバー塗布、ディップ塗布、エアーナイフ塗布、ロール塗布、ブレード塗布、カーテン塗布などによって行われる。塗布量は、乾燥膜厚として、通常０．３〜７μｍ、好ましくは０．５〜５μｍ、更に好ましくは１〜３μｍの範囲であり、そして、塗布後の乾燥は、通常３０〜１７０℃、好ましくは４０〜１５０℃の範囲で行われる。
【００１８】
次に、本発明の刷版方法の概要について説明する。本発明の刷版方法はレーザー露光工程と現像工程とを包含する。レーザー露光（画像露光）に使用する光源としては、主として、ＨｅＮｅレーザー、アルゴンイオンレーザー、ＨｅＣｄレーザー、半導体レーザー、ＹＡＧレーザー、ルビーレーザー、ＬＥＤ等が挙げられる。特に、６５０〜１３００ｎｍの近赤外レーザー光線を発生する光源、例えば、半導体レーザー、ＹＡＧレーザー、ルビーレーザー、ＬＥＤ等の固体レーザーが好ましく、特に、小型で長寿命な半導体レーザーやＹＡＧレーザーが好ましい。
【００１９】
レーザー光源は、通常、レンズにより集光された高強度の光線（ビーム）としてポジ型感光性組成物から成る感光層表面を走査するが、それに感応する感光層の感度特性（ｍＪ／ｃｍ2）は受光するレーザービームの光強度（ｍＪ／ｓ・ｃｍ2）に依存することがある。ここで、レーザービームの光強度は、光パワーメーターにより測定したレーザービームの単位時間当たりのエネルギー量（ｍＪ／ｓ）を感光層表面におけるレーザービームの照射面積（ｃｍ2）で除することにより求めることが出来る。レーザービームの照射面積は、通常、レーザーピーク強度の１／ｅ2強度を超える部分の面積で定義されるが、簡易的には相反則を示すポジ型感光性組成物を感光させて測定することも出来る。
【００２０】
光源の光強度としては、２．０×１０6ｍＪ／ｓ・ｃｍ2以上が好ましく、１．０×１０7ｍＪ／ｓ・ｃｍ2以上が更に好ましい。光強度が上記の範囲の場合、感光層の感度特性を向上させ得る、走査露光時間を短くすることが出来るため、実用的に大きな利点となる。
【００２１】
レーザー露光（画像露光）後の現像に使用する現像液としては、０．１〜５重量％程度のアルカリ成分を含有するアルカリ現像液が好適に使用される。アルカリ成分としては、例えば、珪酸ナトリウム、珪酸カリウム、珪酸リチウム、珪酸アンモニウム、メタ珪酸ナトリウム、メタ珪酸カリウム、水酸化ナトリウム、水酸化カリウム、水酸化リチウム、炭酸ナトリウム、重炭酸ナトリウム、炭酸カリウム、第二燐酸ナトリウム、第三燐酸ナトリウム、第二燐酸アンモニウム、第三燐酸アンモニウム、硼酸ナトリウム、硼酸カリウム、硼酸アンモニウム等の無機アルカリ塩、モノメチルアミン、ジメチルアミン、トリメチルアミン、モノエチルアミン、ジエチルアミン、トリエチルアミン、モノイソプロピルアミン、ジイソプロピルアミン、モノブチルアミン、モノエタノールアミン、ジエタノールアミン、トリエタノールアミン、モノイソプロパノールアミン、ジイソプロパノールアミン等の有機アミン化合物が挙げられる。これらの中では、珪酸ナトリウム、珪酸カリウム等のアルカリ金属の珪酸塩が好ましい。現像液には、必要に応じて、各種の界面活性剤（アニオン性界面活性剤、ノニオン性界面活性剤、両性界面活性剤）やアルコール等の有機溶媒を加えることが出来る。
【００２２】
次に、本発明の刷版方法の特徴について説明する。本発明の場合、前記のレーザー露光工程は、回転ドラムの表面上に押え治具（例えばクランプ）によって感光性平版印刷版の対向する両端面を固定して行う外面走査方式により行う。その結果、押え治具によって固定されたサーマルポジ版の両端面は未露光部となる。本発明の刷版方法の最大の最大の特徴は、押え治具によって固定された上記の両端面の未露光部を除去する端面処理工程を包含する点に存する。
【００２３】
未露光部を除去する端面処理は、サーマルポジ版の切断法と非切断法とに大別することが出来る。切断法は、精密切断用のノコや断裁機（カッター）等により、サーマルポジ版自体を切断して両端面の未露光部を除去する方法である。非切断法は、サーマルポジ版の両端面の未露光部（ポジ型感光性組成物層）を除去する方法であり、更に、加熱法と溶解法と加圧処理法とに分けられる。加熱法は、サーマルポジ版の両端面の未露光部を加熱した後に溶解除去する方法であり、未露光部の加熱後の溶解除去は、通常、レーザー露光工程の後に行われる現像工程を利用して行われる。溶解法は、例えば濃厚な現像液や市販の消去液により未露光部を溶解除去する方法である。一方、加圧処理法は、上記の加熱に代えて未露光部を加圧処理して変質させる方法である。そして、加圧処理としては、単純に加圧でもよいがラビング（摩擦）による加圧処理が好ましい。これらの中では、上記の各非切断法による端面処理工程が推奨される。
【００２４】
以下、添付図面に基づき上記の各非切断法による端面処理工程について説明する。図１は、加熱法（遠赤外線ヒーター）による端面処理装置の好適な一例の平面説明図、図２は、図１に示す装置のII−II線に沿った断面説明図、図３は、加熱法（加熱ロール）による端面処理装置の好適な他の一例の平面説明図、図４は、図３に示す装置のIV−IV線に沿った断面説明図、図５は、溶解法による端面処理装置の好適な一例の斜視説明図、図６は、未露光部を非画線部化する際に使用される未露光部のラビング装置の好適な一例の平面説明図、図７は、図６に示す装置のVII−VII線に沿った断面説明図である。
【００２５】
図１及び図２に示す遠赤外線ヒーターによる端面処理装置は、基本的には、左右の各フレーム（１）、（１）の間にベルトコンベヤー（２）を配置し、当該ベルトコンベヤーの両端部にそれぞれガイド板（３）を配置し、ガイド板（３）で案内されつつベルトコンベヤー（２）により矢印の方向に搬送されるサーマルポジ版（Ａ）の両端面の未露光部（Ｂ）の相当位置にそれぞれ遠赤外線ヒーター（４ａ）及び（４ｂ）を配置し、露光部の相当位置にそれぞれ遠赤外線遮断板（５）を配置した構成を有する。
【００２６】
各ガイド板（３）は各フレーム（１）に固設され、各遠赤外線ヒーター（４ａ）及び（４ｂ）並びに遠赤外線遮断板（５）は、各フレーム（１）にそれぞれ固設された支持部材（１ａ）に取り付けられている。遠赤外線ヒーター（４ａ）及び（４ｂ）としては、従来公知の板状のものが使用され、遠赤外線遮断板（５）としては、従来公知のアルミニウム板などが使用される。図示した装置の場合、遠赤外線遮断板（５）は、サーマルポジ版（Ａ）の各端面毎に所定間隔を開けて配置された２個の遠赤外線ヒーター（４ａ）及び（４ｂ）に亘って配置されている。
【００２７】
上記の遠赤外線ヒーターによる端面処理装置は次の様に使用される。すなわち、ベルトコンベヤー（２）により矢印の方向にサーマルポジ版（Ａ）を搬送し、遠赤外線ヒーター（４ａ）及び（４ｂ）でサーマルポジ版（Ａ）の両端面の未露光部（Ｂ）を加熱する。この際、露光部は遠赤外線遮断板（５）によって保護される。従って、露光部に影響を与えることなく、未露光部（Ｂ）を選択的に加熱することが出来る。遠赤外線ヒーター（４ａ）及び（４ｂ）による加熱温度および加熱時間は、感光層の形成に使用したポジ型感光性組成物の種類によって異なるため、予め求めておく。
【００２８】
図３及び図４に示す加熱ローラーによる端面処理装置は、基本的には、前記と同様のベルトコンベヤー機構を備え、サーマルポジ版（Ａ）の両端面の未露光部（Ｂ）の相当位置にそれぞれ加熱ロール（６ａ）及び（６ｂ）を配置し、露光部の相当位置にそれぞれ冷風吹付ノズル（７ａ）及び（７ｂ）を配置し、各加熱ロール（６ａ）及び（６ｂ）の下部にはそれぞれ押えロール（８ａ）及び（８ｂ）（図示されていない）を配置した構成を有する。符号（２ａ）及び（２ｂ）は、それぞれ、加熱ロール（６ａ）及び（６ｂ）の前後に必要に応じて設けられたサーマルポジ版（Ａ）の送りロールを表す。各ガイド板（３）は各フレーム（１）に固設され、各加熱ロール（６ａ）及び（６ｂ）は、各フレーム（１）にそれぞれ固設されている。加熱ローラーによる端面処理装置は、前記の遠赤外線ヒーターによる端面処理装置と同様に使用され、露光部に影響を与えることなく、未露光部（Ｂ）を選択的に加熱することが出来る。
【００２９】
図５に示す溶解法による端面処理装置は、基本的には、サーマルポジ版（Ａ）の端部の上面および下面に沿って回転する第１および第２のローラー（１０）及び（１１）を備え、少なくとも、第１ローラー（１０）はその表面部分がスポンジにて形成され、そして、その先端部が第１ローラー（１０）の表面に臨む現像液（又は消去液）供給管（１２）と、その先端部がサーマルポジ版（Ａ）の上面近傍であって且つ第１ローラー（１０）に対してその走行軌跡上の前後の何れかに臨む現像液（又は消去液）吸引管（１３）とを備えた構成を有する。そして、第１ローラー（１０）の幅は、サーマルポジ版（Ａ）の端面の未露光部（Ｂ）と略同一幅とされる。
【００３０】
また、好ましい態様として、サーマルポジ版（Ａ）の端面に沿って回転するガイドローラー（１４）を備え、現像液（又は消去液）吸引管（１３）の先端部は刷毛部材（１５）によって管状に構成されている。ガイドローラー（１４）は、第１及び第２のローラー（１０）及び（１１）の走行位置を規制し、刷毛部材（１５）は、その撓み変形により、未露光部を溶解した現像液（又は消去液）の吸引除去効果を高める機能を有する。
【００３１】
上記の各要素は、何れも、固定基板（１６）に取り付けられている。符号（１７）は現像液（又は消去液）供給導管、符号（１８）は図示を省略した減圧機構に連結された現像液（又は消去液）吸引導管を表わす。
【００３２】
図５に示す端面処理装置は次の様に使用される。すなわち、サーマルポジ版（Ａ）の端面の未露光部（Ｂ）に当接させて第１ローラー（１０）を配置し、現像液（又は消去液）供給管（１２）から第１ローラー（１０）の表面に現像液（又は消去液）を供給しつつ、端面処理装置を走行させる。現像液の濃度は、感光層の形成に使用したポジ型感光性組成物の種類によって異なるため、予め求めておく。また、消去液としては適当な市販品を使用することが出来る。
【００３３】
そして、現像液（又は消去液）吸引管（１３）により、未露光部（Ｂ）を溶解した現像液（又は消去液）を吸引除去する。斯かる現像液（又は消去液）の吸引除去は、端面処理装置の往復走行過程の復路のみで実行してもよい。斯かる実施態様は、現像液（又は消去液）供給管（１２）と現像液（又は消去液）吸引管（１３）との間の距離、端面処理装置の走行速度などを考慮して採用される。すなわち、サーマルポジ版（Ａ）の端面の未露光部（Ｂ）が溶解するのに十分な現像液（又は消去液）の滞留時間が得られる様にすることが肝要である。
【００３４】
上記の様な端面処理装置によれば、サーマルポジ版（Ａ）の端面の未露光部（Ｂ）への現像液（又は消去液）の供給は、未露光部（Ｂ）と略同一幅の第１ローラー（１０）を介して行われるため、現像液（又は消去液）の不必要な拡散が効果的に防止され、その結果、露光部に影響を与えることなく、未露光部（Ｂ）を選択的に溶解除去することが出来る。
【００３５】
図６及び図７に示す未露光部のラビング装置は、基本的には、前記の遠赤外線ヒーターによる端面処理装置と同様のベルトコンベヤー機構を備え、サーマルポジ版（Ａ）の両端面の未露光部（Ｂ）の相当位置にそれぞれ摩擦部材（９）を配置し、各摩擦部材（９）の下部にはそれぞれ押えロール（８ａ）を配置した構成を有する。符号（２ａ）及び（２ｂ）は、それぞれ、摩擦部材（９）の前後に必要に応じて設けられたサーマルポジ版（Ａ）の送りロールを表す。各ガイド板（３）は各フレーム（１）に固設され、各摩擦部材（９）は、各フレーム（１）にそれぞれ固設されている。摩擦部材（９）としては、例えばゴム材料が好適に使用される。
【００３６】
上記のラビング装置は次の様に使用される。すなわち、ベルトコンベヤー（２）により矢印の方向にサーマルポジ版（Ａ）を搬送し、摩擦部材（９）でサーマルポジ版（Ａ）の両端面の未露光部（Ｂ）を加圧処理する。斯かる加圧処理によって未露光部（Ｂ）が現像液で溶解除去される様になる理由は、未だ十分に解明されていないが、未露光部（Ｂ）に何らかの変質が生じていることに基づくものと推定される。摩擦部材（９）による加圧力および加圧処理時間は、感光層の形成に使用したポジ型感光性組成物の種類によって異なるため、予め求めておく。
【００３７】
【発明の効果】
以上説明した本発明によれば、感光性平版印刷版の両端面の未露光部により不要な画像が印刷物に形成されない様に改良された刷版方法が提供され、本発明の実用的価値は大きい。
【図面の簡単な説明】
【図１】加熱法（遠赤外線ヒーター）による端面処理装置の好適な一例の平面説明図
【図２】図１に示す装置のII−II線に沿った断面説明図
【図３】加熱法（加熱ロール）による端面処理装置の好適な他の一例の平面説明図
【図４】図３に示す装置のIV−IV線に沿った断面説明図
【図５】溶解法による端面処理装置の好適な一例の斜視説明図
【図６】未露光部のラビング装置の好適な一例の平面説明図
【図７】図６に示す装置のVII−VII線に沿った断面説明図
【符号の説明】
Ａ：サーマルポジ版
Ｂ：未露光部
１：フレーム
１ａ：支持部材
２：ベルトコンベヤー
２ａ：送りロール
２ｂ：送りロール
３：ガイド板
４ａ：遠赤外線ヒーター
４ｂ：遠赤外線ヒーター
５：遠赤外線遮断板
６ａ：加熱ロール
６ｂ：加熱ロール
７ａ：冷風吹付ノズル
７ｂ：冷風吹付ノズル
８ａ：押えロール
８ｂ：押えロール
９：摩擦部材
１０：第１ローラー
１１：第１ローラー
１２：現像液（又は消去液）供給管
１３：現像液（又は消去液）吸引管
１４：ガイドローラー（１４）
１５：刷毛部材
１６：固定基板
１７：現像液（又は消去液）供給導管
１８：現像液（又は消去液）吸引導管
【図１】
0004294796.tif 000002
【図２】
0004294796.tif 000003
【図３】
0004294796.tif 000004
【図４】
0004294796.tif 000005
【図５】
0004294796.tif 000006
【図６】
0004294796.tif 000007
【図７】
0004294796.tif 000008